(57)【要約】【課題】送風効率の高い電動送風機を提供する。【解決手段】ローター部１０３とステータ部１０４を覆うブラケット１０５からなる電動機１０２で回転駆動されるインペラ１１２と、複数のトング１１３と土台部１１８でインペラ１１２の周囲に複数の流路１１４を構成する第１のエアガイド１１５を有し、第１のファンケース１２２の吸気口１２６から流入した空気の一部をブラケット１０５内に供給してローター部１０３とステータ部１０４の冷却を行う電動送風機１０１において、複数の孔部１２８をブラケット１０５の上面部に設け、複数のトング１２９を有する第２のエアガイド１３１と、ブラケット１０５の径方向に設けられたブラケット流入口１３９を備え、第１、第２のエアガイド１１５、１３１の外周側と土台部１１８、１３２側に曲がり部１１６、１１９、１３３、１３４を設けた。【選択図】図１
2011080427.tif 000002
【特許請求の範囲】
【請求項１】
ローター部とステータ部とそれらを覆うブラケットによって構成された電動機と、前記電動機により回転駆動されるインペラと、複数のトングと土台部により、前記インペラの周囲に複数の流路を構成する第１のエアガイドと、中央に吸気口を有し、前記インペラ及び前記第１のエアガイドを内包する第１のファンケースとを有し、前記吸気口から流入した空気の少なくとも一部を前記ブラケット内に供給して、前記ローター部と前記ステータ部の冷却を行う電動送風機において、前記ブラケットの軸方向に、複数の孔部を前記ブラケットの上面部に設けると共に、複数のトングと土台部を有する第２のエアガイドとを設け、前記第２のエアガイドを内包する第２のファンケースと、前記ブラケットの径方向に設けられたブラケット流入口を備え、前記第１のエアガイドと前記第２のエアガイドのそれぞれの外周側と前記土台部側に曲がり部を設けた電動送風機。
【請求項２】
第２のエアガイドの一部に直線部を設けた請求項１に記載の電動送風機。
【請求項３】
インペラを斜流ファンとした請求項１または２に記載の電動送風機。
【請求項４】
第１のエアガイドの土台部に、複数の通気口を設け、前記通気口を通過した空気をブラケット内に供給して、ローター部とステータ部の冷却を行う請求項１〜３のいずれか１項に記載の電動送風機。
【請求項５】
複数毎の案内翼を、複数の通気口の下流に、かつ第１のエアガイドの土台部と一体的に設けた請求項４に記載の電動送風機。
【請求項６】
複数の孔部の総開口面積をＳ１、複数の通気口の総開口面積をＳ２としたとき、Ｓ１＞Ｓ２となるように前記孔部と前記通気口を設けた請求項４または５に記載の電動送風機。
【請求項７】
請求項１〜６のいずれか１項に記載の電動送風機を有する電気掃除機。
【発明の詳細な説明】
【技術分野】
【０００１】
本発明は、電動送風機及び電気掃除機に関するものである。
【背景技術】
【０００２】
従来、この種の電動送風機としては、図７に示すように、ローター部１とステータ部２とそれらを覆うブラケット３によって構成された電動機４と、電動機４により回転駆動されるインペラ５と、このインペラ５の周囲に、複数のトング６により複数の流路７が設けられ、インペラ５から排出された空気の流速を徐々に遅くすることで、急拡大損失を抑えたまま動圧を静圧に変換し圧力回復を行うためのエアガイド８と、中央に吸気口９を有し、インペラ５及びエアガイド８を内包するファンケース１０と、エアガイド８を通過した空気を、ステータ部２とブラケット３の間にスムーズ導くための連通路１１を設け、ステータ部２などを冷却するものがある（例えば、特許文献１参照）。
【０００３】
また、図８に示すように、ファンケース２１と、エアガイド２２のトング２３との外周部近傍の隙間に環状体２４を当接シールする形で設けると共に、ファンケース２１の外周部に、排気口２５を設け、吸気口２６から流入した空気の一部が、空気の流れＡ、Ｂ、Ｃ１、Ｃ２で示すように、エアガイド２２の下部を通ってブラケット２７の上面部２８に設けられた連通口２９を通ってブラケット２７内部に供給され、ローター部３０とステータ部３１を冷却し、残りの空気は排気口２５から外部に排気するものもある（例えば、特許文献２参照）。
【０００４】
また、図９に示すように、エアガイド４１をパイプ状の流路４２とし、流路４２から流出した空気が、空気の流れＤで示すようにブラケット４３の上面部４４に設けられた連通口４５を通ってブラケット４３内部に供給され、ローター部４６とステータ部４７を冷却するものもある（例えば、特許文献３参照）。
【先行技術文献】
【特許文献】
【０００５】
【特許文献１】特開昭６２−７０６９７号公報
【特許文献２】特開２００６−２５００１６号公報
【特許文献３】特開２００７−２７８１５４号公報
【発明の概要】
【発明が解決しようとする課題】
【０００６】
しかしながら、上記図７に示すような従来の電動送風機の構成では、図８における空気の流れＢ、Ｃ１、Ｃ２で示す略直角状に曲がる空気の流れによる曲がり損失を低減することはできるが、図７において、エアガイド８の流路７の長さが短く、十分に流速が遅くなっていないうちに、流路断面積の大きい連通路１１に空気が流れ込むため、ここで急拡大損失が生じてしまう。また、流路７の長さを長くし、流速が十分に遅くなってから連通路１１に空気を供給しようとすると、エアガイド８を径方向にかなり大きくする必要があるため、電動送風機として使用できる機器が限られてしまうという課題を有していた。
【０００７】
また、図８に示すような従来の電動送風機の構成では、環状体２４を介してファンケース２１とエアガイド２２のトング２３とを当接シールすることで、エアガイド２２内の流路２２ａをそれぞれ独立させることにより、流速が速いうちに流路２２ａ間で空気が行き来することによる漏れ損失が生じないようにしており、さらに、排気口２５により、ローター部３０やステータ部３１の冷却に対して余分な量の空気を、空気の流れＤで示すよう
に外部に排気することが可能であるため、空気の流れＢ、Ｃ１、Ｃ２における略直角状の曲がり損失を低減することができるが、流路を流れる空気の総流量が異なる機器に用いる場合には、排気口２５を設計しなおさないと、空気の流れＢ、Ｃ１、Ｃ２における曲がり損失や壁面摩擦損失の増大などにより性能が大幅に低下する可能性があるため、様々な機器での共用化が困難であった。
【０００８】
また、排気口２５が、環状体２４が終わった直線部３２に設けられているため、空気の流れＤで示すように排気口２５から外部に排気される流れが、急激に曲がるため、ロスが生じ、スムーズに排気ができないことや、空気の乱れが生じるという課題を有していた。
【０００９】
さらに、図９に示される従来の電動送風機のエアガイド４１は、急拡大損失、曲がり損失、漏れ損失などを大きく削減することは可能であるが、連通口４５を通る際の空気の流れＤにおける曲がり損失が生じることや、成型が困難であるという課題を有していた。
【００１０】
本発明は、前記従来の課題を解決するもので、ローター部やステータ部などの冷却性能を保持しながら、流路損失を低減することで送風効率を向上させた電動送風機及びそれを用いた電気掃除機を提供することを目的とする。
【課題を解決するための手段】
【００１１】
前記従来の課題を解決するために、本発明の電動送風機は、ローター部とステータ部とそれらを覆うブラケットによって構成された電動機と、前記電動機により回転駆動されるインペラと、複数のトングと土台部により、前記インペラの周囲に複数の流路を構成する第１のエアガイドと、中央に吸気口を有し、前記インペラ及び前記第１のエアガイドを内包する第１のファンケースとを有し、前記吸気口から流入した空気の少なくとも一部を前記ブラケット内に供給して、前記ローター部と前記ステータ部の冷却を行う電動送風機において、前記ブラケットの軸方向に、複数の孔部を前記ブラケットの上面部に設けると共に、複数のトングと土台部を有する第２のエアガイドとを設け、前記第２のエアガイドを内包する第２のファンケースと、前記ブラケットの径方向に設けられたブラケット流入口を備え、前記第１のエアガイドと前記第２のエアガイドのそれぞれの外周側と前記土台部側に曲がり部を設けたもので、ローター部やステータ部への十分な冷却性能を保持しながら、第１のエアガイドおよび第２のエアガイドにおいて流路が急激に曲がる部分を減らすことによって曲がり損失を低減できると共に、第１のエアガイドと第２のエアガイドを合わせた流路長を長く取ることが出来るので、徐々に流路断面積を拡大していくことが可能であるため、流路断面積を急激に拡大させることなく、空気の流速を十分に遅くすることができることにより、急拡大損失を低減することができ、電動送風機の送風効率を向上させることができる。
【００１２】
また、本発明の電気掃除機は、請求項１〜６のいずれか１項に記載の電動送風機を有するもので、送風効率が高く、吸引力が強い、きわめて実用的なものである。
【発明の効果】
【００１３】
本発明の電動送風機は、ブラケット上面部に複数の孔部と、その下流に第２のエアガイドを設けると共に、第１のエアガイドと第２のエアガイドの外周側と土台部側に曲がり部を設け、吸気口から流入する空気の少なくとも一部を第のエアガイドを通ってブラケットに供給し、ローター部やステータ部などを冷却する構成とすることにより、十分な冷却性能を保持したまま、曲がり損失や急拡大損失などを低減させ、送風効率に優れたもので、その電動送風機を電気掃除機に使用することで、吸引性能に優れた電気掃除機を提供することができる。
【図面の簡単な説明】
【００１４】
【図１】本発明の実施の形態１における電動送風機の正面図
【図２】同電動送風機の第１のエアガイドの斜視図
【図３】同電動送風機のブラケットおよび第１のエアガイドおよび第２のエアガイドの斜視図
【図４】同第１のエアガイドの底面図
【図５】本発明の実施の形態２における電動送風機の半断面図
【図６】本発明の実施の形態３における電気掃除機の全体構成図
【図７】従来の電動送風機の半断面図
【図８】従来の電動送風機の別形態の半断面図
【図９】従来の電動送風機の別形態の半断面図
【発明を実施するための形態】
【００１５】
第１の発明は、ローター部とステータ部とそれらを覆うブラケットによって構成された電動機と、前記電動機により回転駆動されるインペラと、複数のトングと土台部により、前記インペラの周囲に複数の流路を構成する第１のエアガイドと、中央に吸気口を有し、前記インペラ及び前記第１のエアガイドを内包する第１のファンケースとを有し、前記吸気口から流入した空気の少なくとも一部を前記ブラケット内に供給して、前記ローター部と前記ステータ部の冷却を行う電動送風機において、前記ブラケットの軸方向に、複数の孔部を前記ブラケットの上面部に設けると共に、複数のトングと土台部を有する第２のエアガイドとを設け、前記第２のエアガイドを内包する第２のファンケースと、前記ブラケットの径方向に設けられたブラケット流入口を備え、前記第１のエアガイドと前記第２のエアガイドのそれぞれの外周側と前記土台部側に曲がり部を設けたもので、ローター部やステータ部への十分な冷却性能を保持しながら、第１のエアガイドおよび第２のエアガイドにおいて流路が急激に曲がる部分を減らすことによって曲がり損失を低減できると共に、第１のエアガイドと第２のエアガイドを合わせた流路長を長く取ることが出来るので、徐々に流路断面積を拡大していくことが可能であるため、流路断面積を急激に拡大させることなく、空気の流速を十分に遅くすることができることにより、急拡大損失を低減することができ、電動送風機の送風効率を向上させることができる。
【００１６】
第２の発明は、特に、第１の発明の第２のエアガイドの一部に直線部を設けたもので、インペラから吐出された直後の流速の速い部分に直線部を設け、流速が遅くなってから曲がり部によって軸方向に空気の流れを曲げることで、空気の流れを軸方向に曲げる際の曲がり損失を低減させることができ、送風効率を向上させることができる。
【００１７】
第３の発明は、特に、第１または第２の発明のインペラを斜流ファンとしたもので、インペラから軸方向電動機側に傾いて吐出されるため、空気の流れを軸方向に曲げる際の曲がり損失を低減させることができ、送風効率を向上させることができる。また、第２のエアガイドにより、ブラケット流入口からローター部やステータ部の冷却用の空気を取り入れる構成としているため、斜流ファンを用いても電動送風機の長さを抑えることができるため、装置の軸方向の大型化を避けることができる。
【００１８】
第４の発明は、特に、第１〜第３のいずれか１つの発明の第１のエアガイドの土台部に、複数の通気口を設け、前記通気口を通過した空気をブラケット内に供給して、ローター部とステータ部の冷却を行うもので、ローター部やステータ部を吸気口側からも冷却することができるため、冷却性能を向上させることができる。
【００１９】
第５の発明は、特に、第４の発明における電動送風機において、複数毎の案内翼を、複数の通気口の下流に、かつ第１のエアガイドの土台部と一体的に設けたもので、第１のエアガイドの通気口を通過した直後に流路断面積が急激に広がることによる空気の乱れを低減させることができるため、送風効率を向上させることができる。
【００２０】
第６の発明は、特に、第４または第５の発明の複数の孔部の総開口面積をＳ１、複数の通気口の総開口面積をＳ２としたとき、Ｓ１＞Ｓ２となるように前記孔部と前記通気口を設けたもので、圧力損失の大きいブラケット内の吸気口側を通過する流量を減らすことができるので、送風効率を高めることができる。また、第２のエアガイドを通過した空気によってもローター部やステータ部の冷却を行う構成のため、ローター部やステータ部への冷却性能を十分に確保することができる。
【００２１】
第７の発明に係る電気掃除機は、請求項１〜６のいずれか１項に記載の電動送風機を有するもので、送風効率が高く、吸引力が強い、きわめて実用的な電気掃除機を得ることができる。
【００２２】
以下、本発明の実施の形態について、図面を参照しながら説明する。なお、この実施の形態によって本発明が限定されるものではない。
【００２３】
（実施の形態１）
図１は、本発明の実施の形態１における電動送風機の半断面図、図２は、同電動送風機の第１のエアガイドの斜視図、図３は、同電動送風機のブラケットおよび第１のエアガイドおよび第２のエアガイドの斜視図、図４は、同第１のエアガイドの底面図である。
【００２４】
図１に示すように、本実施の形態における電動送風機１０１には、電動機１０２が配置されている。電動機１０２は、ブラシモータと呼ばれるタイプのモータであり、ローター部１０３とステータ部１０４と、それらを覆うブラケット１０５とブラシ部１０６からなり、ブラシ部１０６は、ローター部１０３やステータ部１０４より下方側に設けられている。ローター部１０３には、回転軸１０７と、整流子部１０８と、コイル部１０９ａ、１０９ｂが設けられ、ステータ部１０４も、コイル部１１１ａ、１１１ｂが設けられている。そして、回転軸１０７によって、インペラ１１２が接続されている。
【００２５】
そして、インペラ１１２の周囲には、図２に示すような、複数枚のトング１１３によって複数の流路１１４を構成する第１のエアガイド１１５が配置されている。また、第１のエアガイド１１５のトング１１３は、図１に示すように、外周側に曲がり部１１６、内周側に直線部１１７が設けられており、同様に、第１のエアガイド１１５の土台部１１８には曲がり部１１９と直線部１２０が設けられている。また、第１のエアガイド１１５の土台部１１８には、複数の通気口１２１が設けられており、第１のエアガイド１１５の裏側と連通している。
【００２６】
そして、第１のファンケース１２２によって、インペラ１１２と第１のエアガイド１１５が内包されている。第１のファンケース１２２にも、ケース曲がり部１２３とケース直線部１２４が設けられており、第１のエアガイド１１５のトング１１３の曲がり部１１６と直線部１１７とほぼ隙間なく接する構成となっている。そして、ファンケースペーサ１２５が第１のファンケース１２２と一体的に成型されている。ファンケースペーサ１２５は、吸気口１２６でインペラ１１２と当接シールされ、インペラ１１２から流出された空気が、再び吸気口１２６からインペラ１１２に流入しない構成としている。なお、本実施の形態では、ファンケースペーサ１２５を、第１のファンケース１２２と一体的に成型する構成としているが、ファンケースペーサ１２５と第１のファンケース１２２との間に空気の漏れる隙間が生じない構成であれば、両者を溶着または接着などで一体的に構成しても良い。
【００２７】
ブラケット１０５の上面部１２７外周側には、第１のエアガイド１１５の各流路１１４に対応した複数の孔部１２８が設けられており、孔部１２８の下流側には、図３に示すよ
うに、複数のトング１２９によって、ブラケット１０５の上面部１２７に設けられた孔部１２８と対応した複数の流路１３０が構成された第２のエアガイド１３１が設けられている。ここで、ブラケット１０５の上面部１２７に設けられた複数の孔部１２８の総開口面積をＳ１、第１のエアガイド１１５の土台部１１８に設けられた複数の通気口１２１の総開口面積をＳ２とした時、Ｓ１＞Ｓ２となるように孔部１２８と通気口１２１が設けられている。また、第２のエアガイド１３１の土台部１３２および第２のエアガイド１３１のトング１２９の外周側には、それぞれ曲がり部１３３、１３４が設けられ、図１に示すように、回転軸１０７方向から径方向になだらかに流路が曲がる構成となっている。
【００２８】
そして、第２のエアガイド１３１を覆う形で、第２のファンケース１３５が設けられており、この第２のファンケース１３５には、第２のエアガイド１３１のトング１２９外周側に設けられた曲がり部１３４に沿うような形でケース曲がり部１３６が設けられている。そして、第２のファンケース１３５は、ネジ１３７でブラシ部１０６と共に共締めすることでブラケット１０５に固定する構成となっている。
【００２９】
第２のエアガイド１３１内の流路１３０の下流のブラケット１０５の側面部１３８には、第２のエアガイド１３１内の流路１３０の流れに沿った方向に開けた複数の孔で構成されたブラケット流入口１３９が設けられている。また、第２のエアガイド１３１に設けられたトング１２９とブラケット１０５の側面部１３８との間には、合流域１４０が設けられ、各流路１３０を通ってきた空気がここで一旦合流する構成となっている。
【００３０】
また、ブラケット流入口１３９は、ローター部１０３の下側のコイル１０９ｂと、ステータ部１０４の下側のコイル１１１ｂと、ブラシ部１０６の近傍に設けられており、ブラケット流入口１３９から流入した空気が、ローター部１０３の下側のコイル１０９ｂと、ステータ部１０４の下側のコイル１１１ｂと、ブラシ部１０６に当たることで、ローター部１０３とステータ部１０４とブラシ部１０６をそれぞれ冷却する構成となっている。
【００３１】
ブラケット１０５の底面部１４１には、ブラケット排気口１４２が設けられ、ブラケット１０５内に流入した空気が、ローター部１０３とステータ部１０４とブラシ部１０６を冷却した後で外部に排気される構成となっている。なお、本実施の形態では、ブラケット排気口１４２を、ブラケット１０５の底面部１４１に設けているが、ローター部１０３などを冷却可能であれば、ブラケット１０５の側面部１３８に設ける構成としても良い。
【００３２】
また、ブラケット１０５の上面部１２７の内周側には貫通口１４３が設けられており、第１のエアガイド１１５の土台部１１８に設けられた通気口１２１を通過した空気が、この貫通口１４３を通ってブラケット１０５内に入る構成となっている。
【００３３】
以上のように構成された本実施の形態における電動送風機について、以下その動作、作用を説明する。
【００３４】
まず、電動送風機１０１を起動すると、電動機１０２のローター部１０３が回転し、それに伴って回転軸１０７とインペラ１１２が回転し、その結果、吸気口１２６から空気が吸い込まれる。そして、インペラ１１２によって吸気口１２６から吸い込まれた空気は、第１のエアガイド１１５内の流路１１４に流れ込む。ここで、トング１１３を、流路１１４の流路断面積が下流に行くに従って徐々に広くなるように設けることで、流路断面積が急激に大きくなることによって生じる急拡大損失を抑えながら、動圧を静圧に変換する圧力回復を行うことが可能な構成となっている。
【００３５】
そして、第１のエアガイド１１５内の流路１１４に流れ込んだ空気は、空気の流れＧで示すように、第１のエアガイド１１５のトング１１３外周に設けられた曲がり部１１６お
よび土台部１１８に設けられた曲がり部１１９に沿って軸方向に曲げられていく。このように、曲がり部１１６、１１９によって空気を急激に曲げることなく、スムーズに回転軸１０７方向に曲げることができるため、曲がり損失が少なく、送風効率の高い構成となっている。
【００３６】
さらに、第１のエアガイド１１５のトング１１３および土台部１１８には、直線部１１７、１２０が設けられているため、インペラ１１２から吐出された直後の流速の速い空気を、回転軸１０７方向に曲げないことで、曲がり損失を低減させる構成となっている。
【００３７】
そして、第１のエアガイド１１５内の流路１１４に流れ込んだ空気の一部は、空気の流れＨで示すように、第１のエアガイド１１５の土台部１１８に設けられた通気口１２１を通り、ブラケット１０５内部の貫通口１４３側から流れ込み、残りの空気は、空気の流れＩで示すように、ブラケット１０５の上面部１２７に設けられた孔部１２８を通って第２のエアガイド１３１内の流路１３０へと流れ込む。
【００３８】
第１のエアガイド１１５の土台部１１８に設けられた通気口１２１を通過した空気は、空気の流れＪで示すように、第１のエアガイド１１５の裏側に流入し、ブラケット１０５に設けられた貫通口１４３を通ってブラケット１０５内部に流入することで、ローター部１０３やステータ部１０４の上側のコイル部１０９ａ、１１１ａを上方側すなわち吸気口１２６側から冷却する。
【００３９】
ここで、図４に示す第１のエアガイド１１５の底面図のように、複数の案内翼１４４を第１のエアガイド１１５の土台部１１８と一体的に設けた場合、通気口１２１を通過した空気が第１のエアガイド１１５の裏側に流入した際に、流路断面積が急拡大することによって生じる空気の乱れを低減させることができるため、さらに送風効率を向上させることができる。
【００４０】
第２のエアガイド１３１内の流路１３０に流れ込んだ空気は、さらに圧力回復が行われ、十分に流速が遅くなったところで合流域１４０に入り、各流路１３０を通ってきた空気が一旦合流する。ここで、第２のエアガイド１３１および第２のファンケース１３５には、曲がり部１３３、１３４およびケース曲がり部１３６が設けられているため、空気の流れＩで示すように、なだらかに回転軸１０７方向から径方向に方向を変えることが可能であるため、流路が急激に曲がることによって生じる流れの乱れ、すなわち、曲がり損失を低減することができる。
【００４１】
そして、ブラケット１０５の側面部１３８に設けられたブラケット流入口１３９を通ってブラケット１０５内に空気が入り、ローター部１０３の下側のコイル部１０９ｂと、ステータ部１０４の下側のコイル部１１１ｂと、ブラシ部１０６に気流が当たることで、それぞれの部位を冷却する。
【００４２】
このように、ローター部１０３とステータ部１０４のそれぞれの上側のコイル部１０９ａと１１１ａを、第１のエアガイド１１５に設けられた通気口１２１およびブラケット１０５に設けられた貫通口１４３を通る空気の流れＨ、Ｊによって冷却し、ローター部１０３とステータ部１０４のそれぞれの下側のコイル部１０９ｂと１１１ｂおよびブラシ部１０６を、ブラケット１０５の上面部１２７に設けられた孔部１２８と、第２のエアガイド１３１内の流路１３０と、ブラケット１０５の側面部１３８に設けられたブラケット流入口１３９とを通る空気の流れＩ、Ｋによって冷却することができるので、冷却効果の高い構成となっている。
【００４３】
また、ローター部１０３とステータ部１０４のそれぞれの上側のコイル部１０９ａ、１
１１ａを上方側から冷却する空気の流れＨ、Ｊは、ローター部１０３とステータ部１０４との間の隙間およびステータ部１０４とブラケット１０５との間の隙間といった狭い空間を通過するため、圧力損失が大きいが、本実施の形態では、孔部１２８の総開口面積Ｓ１と通気口１２１の総開口面積Ｓ２の関係がＳ１＞Ｓ２となるように、孔部１２８と通気口１２１を設けているため、通気口１２１を通り、ローター部１０３とステータ部１０４のそれぞれの上側のコイル部１０９ａ、１１１ａを上方側から冷却する空気の流れＨ、Ｊの流量を、孔部１２８を通り、ローター部１０３とステータ部１０４のそれぞれの下側のコイル部１０９ｂ、１１１ｂをブラケット１０５の側方側から冷却する空気の流れＩ、Ｋよりも少なくさせることで、圧力損失の大きい流路を通過する空気の流量を減らし、送風効率を高めている。
【００４４】
なお、ロータ部１０３の上側のコイル部１０９ａと下側のコイル部１０９ｂ、および、ステータ部１０４の上側のコイル部１１１ａと下側のコイル部１１１ｂは、それぞれ繋がっているため、電動送風機１０１に供給される空気の総量が減り、ローター部１０３とステータ部１０４のそれぞれの上側のコイル部１０９ａ、１１１ａを上方側から冷却する空気の流れＨ、Ｊの流量が大きく減った場合でも、ローター部１０３とステータ部１０４のそれぞれの下側のコイル部１０９ｂ、１１１ｂをブラケット１０５の側方側から冷却する空気の流れＩ、Ｋが十分に確保されてさえいれば、伝熱により、ローター部１０３とステータ部１０４のそれぞれの上側のコイル部１０９ａ、１１１ａも冷却されるため、様々な流量に対応可能な冷却能力を確保することができる。
【００４５】
ここで、ブラケット流入口１３９を、第２のエアガイド１３１内の流路１３０を流れる空気の流れの方向に沿うよう、ブラケット１０５の側面部１３８に対して斜めに開けることにより、第２のエアガイド１３１からブラケット１０５内部へスムーズに空気を送り込むことができるので、ブラケット流入口１３９近傍のブラケット１０５の側面部１３８などへの衝突損失を低減することができる。
【００４６】
また、通電により熱を生じるコイル部のうち、下側のコイル部１０９ｂ、１１１ｂに直接風を当てたり、整流子部１０８との摺動摩擦により熱を生じるブラシ部１０６を、ステータ部１０４の下方側に設けて直接風を当てたりする構成としているのは、単に冷却効果を向上させるためだけではない。すなわち、第２のエアガイド１３１が回転軸１０７方向に長さを取ることができるので、第２のエアガイド１３１の流路１３０の長さを長くし、第２のエアガイド１３１の流路１３０の断面積を急激に拡大させることなく、徐々に流路１３０の断面積を拡大させて空気の流速を十分に遅くさせることができるので、急拡大損失を低減させると共に、流路１３０の曲がり方を緩やかにすることができるので、曲がり損失を低減させるためでもある。
【００４７】
さらに、ブラケット流入口１３９の形状や位置が不均一であったり、ブラケット１０５内部の隙間が狭いところがあったりする場合でも、合流域１４０で、各流路１３０を通過した空気が一旦合流されることによって、流速が速いところと遅いところが生じることによる壁面摩擦損失などを低減させることができる。
【００４８】
なお、本実施の形態では、第１のエアガイド１１５と第２のエアガイド１３１を合わせた流路長を長く取ることが出来るので、十分に流速が遅くなったところで各流路を通る空気の流れが混合されるため、流路断面積が急激に拡大されることによる急拡大損失を抑えることができる。
【００４９】
このように、本実施の形態における電動送風機１０１は、吸気口１２６から流入する空気の総流量が変わっても、ローター部１０３やステータ部１０４への冷却性能を確保したり、各種圧力損失の増加を抑えたりすることが可能であるので、使用可能流量幅が広く、
様々な機器への共用化が可能である。
【００５０】
以上のように、本実施の形態では、ブラケット１０５の上面部１２７に複数の孔部１２８と、その下流に第２のエアガイド１３１を設けると共に、第１のエアガイド１１５および第２のエアガイド１３１のそれぞれの外周側と土台部側に曲がり部１１６、１１９および曲がり部１３３、１３４を設け、吸気口１２６から流入する空気の少なくとも一部を、第２のエアガイド１３１を通ってブラケット１０５に供給し、ローター部１０３やステータ部１０４などを冷却する構成とすることにより、十分な冷却性能を保持したまま、曲がり損失や拡大損失などを低減させ、電動送風機の送風効率を向上させることができる。
【００５１】
（実施の形態２）
図５は、本発明の実施の形態２における電動送風機の半断面図である。なお、上記実施の形態１における電動送風機と同一部分には同一符号を付してその説明を省略する。
【００５２】
本実施の形態における電動送風機２００と、実施の形態１におけるそれと異なる点は、インペラ２０１の吐出方向Ｍが、回転軸１０７の軸方向に傾いている斜流ファンであり、第１のエアガイド２０２のトング２０３の外周側および、第１のエアガイド２０２の土台部２０４に設けられた直線部２０５および２０６が、インペラ２０１の吐出方向Ｍに対応して回転軸１０７の軸方向に傾斜している点である。その他は、上記実施の形態１と同様である。
【００５３】
本実施の形態では、インペラ２０１が斜流ファンであり、吐出方向Ｍが回転軸１０７の軸方向に傾いているため、第１のエアガイド２０２を流れる空気を軸方向へ曲げる際の角度を、前述の実施の形態１のような遠心ファンを利用する場合と比較して、小さくすることができるため、流れの方向を変える際に生じる曲がり損失を低減することができ、送風効率を高めることができる。
【００５４】
また、図８に示す従来の電動送風機のように、エアガイド２２の下部を通った空気のみでローター部３０とステータ部３１を冷却する構成で、斜流ファンを用いた場合でも、本実施の形態のように、エアガイド２２を傾斜させることで空気の流れＡで示す曲がり部の曲がり損失を低減させることは可能であるが、エアガイド２２の下部の高さが十分に取れなくなるため、電動送風機を軸方向に大きくする必要がある。しかし、本実施の形態では、第１のエアガイド２０２の下部や、通気口１２１が狭くなっても、第２のエアガイド１３１を通る空気の流れにより、ローター部１０３やステータ部１０４を冷却することが可能であるため、電動送風機２００の小型化をはかりつつ、冷却性能を確保することができる。
【００５５】
（実施の形態３）
図６は、本発明の実施の形態３における電気掃除機を示すものである。なお、上記実施の形態における電動送風機と同一部分には同一符号を付与し、その説明を省略する。
【００５６】
図６において、本実施の形態における電気掃除機３０１は、ホース３０２、延長管３０３及び床面上を移動して塵埃を吸引する吸引具３０４を有しており、掃除機本体３０６には、上記実施の形態１、２で述べた電動送風機１０１（又は２００）を内蔵したものである。
【００５７】
電動送風機１０１（又は２００）は、上記実施の形態１及び２で述べたように、ローター部１０３やステータ部１０４への冷却性能を確保しながら、高い送風効率で動作するものなので、それを電気掃除機本体３０６に内蔵することで、高い送風効率で動作しながら、強い吸引力を得ることができる電気掃除機を提供することができ、きわめて実用的なも
のである。
【産業上の利用可能性】
【００５８】
以上のように、本発明にかかる電動送風機及びそれを用いた電気掃除機は、ブラケット上面部に複数の孔部と、その下流に第２のエアガイドを設けると共に、第１のエアガイドと第２のエアガイドの外周側と土台部側に曲がり部を設け、吸気口から流入する空気の少なくとも一部を第２のエアガイドを通ってブラケットに供給し、ローター部やステータ部などを冷却する構成とすることにより、十分な冷却性能を保持したまま、曲がり損失や急拡大損失などを低減させ、送風効率、吸引力を向上させることができるもので、家庭用はもちろんのこと業務用の機器にも適用可能である。
【符号の説明】
【００５９】
１０１、２００  電動送風機
１０２  電動機
１０３  ローター部
１０４  ステータ部
１０５  ブラケット
１１２、２０１  インペラ
１１３、１２９、２０３  トング
１１４、１３０  流路
１１５、２０２  第１のエアガイド
１１６、１１９、１３３、１３４  曲がり部
１１７、１２０、２０５、２０６  直線部
１１８、１３２、２０４  土台部
１２１  通気口
１２２  第１のファンケース
１２６  吸気口
１２７  上面部
１２８  孔部
１３１  第２のエアガイド
１３９  ブラケット流入口
１４０  合流域
１４４  案内翼
【図１】
2011080427.tif 000003
【図２】
2011080427.tif 000004
【図３】
2011080427.tif 000005
【図４】
2011080427.tif 000006
【図５】
2011080427.tif 000007
【図６】
2011080427.tif 000008
【図７】
2011080427.tif 000009
【図８】
2011080427.tif 000010
【図９】
2011080427.tif 000011